(57)【特許請求の範囲】
【請求項１】
遊技機の前面側に配設する透明板保持枠を構成する透明板ユニットであって、
該透明板ユニットは、額縁状に形成した枠体の開口部に対して、該開口部を両側から塞ぐよう２枚の透明板を保持してなり、
該２枚の透明板と上記枠体とによって囲まれて形成された空間は、上記開口部を仕切部によって仕切ることにより、上記透明板保持枠が対向配置される遊技盤の遊技領域に対向する位置に形成した主空間と、上記遊技領域の外側に対向する位置に形成した副空間とからなり、
該副空間は、上記主空間に対して連通口を介して連通し、空気を溜める領域として形成してあると共に、空気出入口を介して外部に開放してあり、
上記透明板ユニットによって上記透明板保持枠を構成する状態において、
上記連通口は、上記仕切部において上記透明板と対向する部位に形成した溝部から構成してあり、
上記空気出入口は、上記枠体において上記透明板と対向する部位に形成した溝部と、該溝部と連通するよう上記枠体の外縁部の一部を前後方向へ切り欠いて形成した切欠部とによって構成してあることを特徴とする遊技機の透明板ユニット。
【請求項２】
請求項１において、上記連通口を構成する溝部は、上記仕切部において上記２枚の透明板のいずれか一方と対向する部位に形成してあり、
上記空気出入口を構成する溝部は、上記枠体において上記２枚の透明板の他方と対向する部位に形成してあることを特徴とする遊技機の透明板ユニット。
【請求項３】
遊技機の前面側に配設する透明板保持枠を構成する透明板ユニットであって、
該透明板ユニットは、額縁状に形成した枠体の開口部に対して、該開口部を両側から塞ぐよう２枚の透明板を保持してなり、
該２枚の透明板と上記枠体とによって囲まれて形成された空間は、上記開口部を仕切部によって仕切ることにより、上記透明板保持枠が対向配置される遊技盤の遊技領域に対向する位置に形成した主空間と、上記遊技領域の外側に対向する位置に形成した副空間とからなり、
該副空間は、上記主空間に対して連通口を介して連通し、空気を溜める領域として形成してあると共に、空気出入口を介して外部に開放してあり、
上記透明板ユニットによって上記透明板保持枠を構成する状態において、上記空気出入口は、上記枠体において上記２枚の透明板のうち遊技盤側に位置する透明板と対向する部位を利用して形成してあることを特徴とする遊技機の透明板ユニット。
【請求項４】
遊技機の前面側に配設する透明板保持枠を構成する透明板ユニットであって、
該透明板ユニットは、額縁状に形成した枠体の開口部に対して、該開口部を両側から塞ぐよう２枚の透明板を保持してなり、
該２枚の透明板と上記枠体とによって囲まれて形成された空間は、上記開口部を仕切部によって仕切ることにより、上記透明板保持枠が対向配置される遊技盤の遊技領域に対向する位置に形成した主空間と、上記遊技領域の外側に対向する位置に形成した副空間とからなり、
該副空間は、上記主空間に対して連通口を介して連通し、空気を溜める領域として形成してあると共に、空気出入口を介して外部に開放してあり、
上記２枚の透明板は、一方の透明板の外形が他方の透明板の外形よりも小さくなっており、
上記透明板ユニットは、上記一方の透明板が遊技者側に位置する状態で上記透明板保持枠を構成していることを特徴とする遊技機の透明板ユニット。
【請求項５】
遊技機の前面側に配設する透明板保持枠を構成する透明板ユニットであって、
該透明板ユニットは、額縁状に形成した枠体の開口部に対して、該開口部を両側から塞ぐよう２枚の透明板を保持してなり、
該２枚の透明板と上記枠体とによって囲まれて形成された空間は、上記開口部を仕切部によって仕切ることにより、上記透明板保持枠が対向配置される遊技盤の遊技領域に対向する位置に形成した主空間と、上記遊技領域の外側に対向する位置に形成した副空間とからなり、
該副空間は、上記主空間に対して連通口を介して連通し、空気を溜める領域として形成してあると共に、空気出入口を介して外部に開放してあり、
上記副空間は、上記枠体における左右いずれか一方の下側角部に形成してあり、
上記連通口と上記空気出入口とは、上記副空間に対して上下又は左右の方向に互いに離れた位置に形成してあることを特徴とする遊技機の透明板ユニット。
【発明の詳細な説明】
【技術分野】
【０００１】
本発明は、遊技機の前面側に配設する透明板保持枠を構成する透明板ユニットに関する。
【背景技術】
【０００２】
パチンコ遊技機等の遊技機においては、遊技機の前面側に配設する透明板保持枠（ガラス扉）の透明板ユニット（ガラスユニット）を、強度の向上、静音性、防犯性の向上等を目的として、２枚の透明板（ガラス板）を用いて構成している。また、２枚の透明板同士が互いに向き合う内側が曇ることを防止するために、２枚の透明板の間に連通する乾燥剤室を設け、この乾燥剤室に乾燥剤を配置することが行われている。そして、乾燥剤室は、外気が入らないように密閉している。
このような乾燥剤室を設けた保持枠又はパチンコ遊技機としては、例えば特許文献１、２に開示されたものがある。
【先行技術文献】
【特許文献】
【０００３】
【特許文献１】特開２００６−１８１０８１号公報
【特許文献２】特開２００８−５８６１号公報
【発明の概要】
【発明が解決しようとする課題】
【０００４】
しかしながら、２枚の透明板の間の空間及び乾燥剤室を密閉すると、外気の温度変化に伴う空間内の温度変化により、２枚の透明板が撓んでしまうおそれがある。この場合、遊技者側と反対側（遊技盤側）に位置する透明板と、遊技盤との間における遊技球の通過間隔が変化してしまうことになる。また、特に、２枚の透明板の間の空間が膨張した場合には、２枚の透明板を枠体に接着する接着剤に剥がれが生じるおそれがある。
【０００５】
本発明は、かかる従来の問題点に鑑みてなされたもので、２枚の透明板に透明板ユニット内の温度変化による撓みが発生することを防止すると共に、２枚の透明板の内側に曇りが発生することを効果的に抑制することができる遊技機の透明板ユニットを提供しようとするものである。
【課題を解決するための手段】
【０００６】
第１の発明は、遊技機の前面側に配設する透明板保持枠を構成する透明板ユニットであって、
該透明板ユニットは、額縁状に形成した枠体の開口部に対して、該開口部を両側から塞ぐよう２枚の透明板を保持してなり、
該２枚の透明板と上記枠体とによって囲まれて形成された空間は、上記開口部を仕切部によって仕切ることにより、上記透明板保持枠が対向配置される遊技盤の遊技領域に対向する位置に形成した主空間と、上記遊技領域の外側に対向する位置に形成した副空間とからなり、
該副空間は、上記主空間に対して連通口を介して連通し、空気を溜める領域として形成してあると共に、空気出入口を介して外部に開放してあり、
上記透明板ユニットによって上記透明板保持枠を構成する状態において、
上記連通口は、上記仕切部において上記透明板と対向する部位に形成した溝部から構成してあり、
上記空気出入口は、上記枠体において上記透明板と対向する部位に形成した溝部と、該溝部と連通するよう上記枠体の外縁部の一部を前後方向へ切り欠いて形成した切欠部とによって構成してあることを特徴とする遊技機の透明板ユニットにある（請求項１）。
【発明の効果】
【０００７】
本発明の遊技機の透明板ユニットは、２枚の透明板に透明板ユニット内の温度変化による撓みが発生することを防止すると共に、２枚の透明板の内側（２枚の透明板が互いに向き合う側）に曇りが発生することを防止する工夫を行っている。
具体的には、本発明の透明板ユニットにおいては、２枚の透明板と枠体とによって囲まれて形成された空間を仕切部によって仕切ることによって、主空間に隣接して、空気を溜める領域としての副空間を形成している。また、副空間は、連通口を介して主空間に連通すると共に、空気出入口を介して透明板ユニットの外部に開放してある。
【０００８】
そして、主空間内の空気の温度が上昇するときには、主空間内の空気を連通口、副空間及び空気出入口を介して外部へ排出することができる。一方、主空間内の空気の温度が下降するときには、主空間内に空気出入口、副空間及び連通口を介して外気を導入することができる。
これにより、透明板ユニットの主空間内の温度変化により、主空間が膨張したり、縮小したりすることを防止することができ、２枚の透明板に撓み（前後方向の寸法の変化）が発生することを防止することができる。その結果、透明板を枠体に接着する接着剤が剥がれることを防止し、遊技者側と反対側（遊技盤側）に位置する透明板と、遊技盤との間における遊技球の通過間隔が変化してしまうことを防止することができる。
【０００９】
さらに、副空間を設けたことにより、主空間における２枚の透明板の内側に曇りが発生し難くすることができる。２枚の透明板の内側に曇りが発生する場合としては、次の状況が考えられる。
すなわち、例えば、寒冷地において、遊技ホールの出入口に近い場所においては、出入口が開くと遊技ホール内に冷たい外気が入る。このとき、出入口の近くに設置した遊技機における透明板保持枠の透明板ユニットの表面に外気が接触し、遊技者側の透明板の前面が冷やされ、２枚の透明板の内側である主空間及び副空間に存在する空気が収縮し、更にこれらの空間に冷たい外気が入ろうとする。
【００１０】
このとき、外気は、まず空気出入口を介して副空間に入ることになり、遊技盤側の透明板の内面が冷やされ、遊技盤側の透明板の表面温度が急激に冷やされる。その結果、透明板ユニット内の副空間に残存する暖かい空気が遊技盤側の透明板によって冷やされ、曇りが発生すると考えられる。そして、副空間の存在によって曇りを副空間に集中的に発生させることができ、主空間には曇りがほとんど発生しない。
また、副空間を、透明板ユニットにおいて遊技盤の遊技領域の外側に対向する位置に形成していることにより、遊技者からほとんど見えない位置に曇りを積極的に発生させることができる。そのため、遊技者による遊技領域の視界を適切に確保することができる。
【００１１】
それ故、本発明の遊技機の透明板ユニットによれば、２枚の透明板に透明板ユニット内の温度変化による撓みが発生することを防止すると共に、２枚の透明板の内側に曇りが発生することを効果的に抑制することができる。
【図面の簡単な説明】
【００１２】
【図１】実施例における、透明板ユニットを配設した透明板保持枠を前面側から見た状態で示す説明図。
【図２】実施例における、透明板ユニットを前面側から見た状態で示す説明図。
【図３】実施例における、透明板ユニットを後面側から見た状態で示す説明図。
【図４】実施例における、後面側から見た状態の透明板ユニットにおける副空間の周辺を拡大して示す説明図。
【図５】実施例における、透明板ユニットの主空間の外周縁部の断面を、図３のＡ−Ａ線矢視断面として示す説明図。
【図６】実施例における、透明板ユニットの副空間の周辺の外周縁部の断面を、図４のＢ−Ｂ線矢視断面として示す説明図。
【図７】実施例における、透明板ユニットの副空間に対する連通口及び空気出入口の形成箇所を、図４のＣ−Ｃ線矢視断面として示す説明図。
【図８】実施例における、透明板ユニットの空気出入口の周辺を側方から見た状態で示す説明図。
【発明を実施するための形態】
【００１３】
上述した本発明の遊技機の透明板ユニットにおける好ましい実施の形態につき説明する。
本発明において、上記透明板は、透明のガラス板から構成することができ、透明の樹脂材料から構成することもできる。
【００１４】
また、上記第１の発明においては、上記透明板ユニットによって上記透明板保持枠を構成する状態において、上記連通口は、上記仕切部において上記２枚の透明板のいずれか一方と対向する部位に形成した溝部から構成してあり、上記空気出入口は、上記枠体において上記２枚の透明板の他方と対向する部位に形成した溝部と、該溝部と連通するよう上記枠体の外縁部の一部を前後方向へ切り欠いて形成した切欠部とによって構成してあることが好ましい（請求項２）。
ところで、２枚の透明板を枠体に接着する場合、一般的に水平状態に配置した枠体に対し上方から接着剤を塗布する。このとき、接着剤には一定の粘性があることから、接着剤の塗布を途中で途切れさせる際には、残った接着剤が垂れたり糸を引いたりしないようにするために、相当の作業停止時間が必要になる。よって、接着工程をより短時間で行うには一回でも接着剤の塗布の途切れを少なくすることが重要になる。
【００１５】
そこで、上記構成により、空気出入口と連通口とが透明板ユニットの前後方向に対して互いに反対側に位置することになる。そのため、接着剤によって透明板を枠体に接着する際に、空気出入口又は連通口の形成箇所の近傍を塗布の開始位置として、枠体の両側において、枠体の縁部と仕切部とに連続して接着剤を塗布することができる。これにより、枠体の縁部及び仕切部に透明板を接着する作業を短時間で行うことができる。
【００１６】
また、第２の発明は、上記透明板ユニットによって上記透明板保持枠を構成する状態において、上記空気出入口は、上記枠体において上記２枚の透明板のうち遊技盤側に位置する透明板と対向する部位を利用して形成してあることにある（請求項３）。
この場合には、外気の温度が透明板ユニット内の空気の温度よりも低くなったときには、空気出入口から副空間内に流れる外気によって、遊技盤側に位置する透明板が先に冷やされることになる。そして、遊技者側の透明板の内面が冷やされないので、外気と接触する遊技者側の透明板が外気によって急激に冷やされることを緩和することができる。そのため、主空間における２枚の透明板が対向する内側に曇りがさらに発生し難くすることができる。
【００１７】
また、第３の発明は、上記２枚の透明板は、一方の透明板の外形が他方の透明板の外形よりも小さくなっており、上記透明板ユニットは、上記一方の透明板が遊技者側に位置する状態で上記透明板保持枠を構成していることにある（請求項４）。
この場合には、透明板ユニットの枠体における奥側（遊技者側と反対側）の内側端面が遊技者に見え難くすることができる。そのため、遊技者による遊技領域の感覚的な視界を広くすることができる。
【００１８】
また、第４の発明は、上記副空間は、上記枠体における左右いずれか一方の下側角部に形成してあり、上記連通口と上記空気出入口とは、上記副空間に対して上下又は左右の方向に互いに離れた位置に形成してあることにある（請求項５）。
この場合には、空気出入口から流入する外気を副空間の全体に充満させることができ、外気が副空間を通り超えて主空間へ流入することを防止することができる。
【実施例】
【００１９】
以下に、本発明の遊技機の透明板ユニットにかかる実施例につき、図面を参照して説明する。
本例の遊技機の透明板ユニット１は、図１に示すごとく、遊技機の前面側に配設する透明板保持枠（ガラス扉）６を構成するものである。透明板ユニット（ガラスユニット）１は、図５に示すごとく、額縁状に形成した枠体２の開口部２０に対して、開口部２０を両側から塞ぐよう２枚の透明板（ガラス板）３Ａ、３Ｂを保持してなる。
図４、図７に示すごとく、２枚の透明板３Ａ、３Ｂと枠体２とによって囲まれて形成された空間は、開口部２０を仕切部２２によって仕切ることにより、透明板保持枠６が対向配置される遊技盤の遊技領域に対向する位置に形成した主空間４１と、遊技領域の外側に対向する位置に形成した副空間４２とからなる。副空間４２は、主空間４１に対して連通口４３を介して連通し、空気を溜める領域として形成してあると共に、空気出入口４４を介して外部に開放してある。
【００２０】
以下に、本例の遊技機の透明板ユニット１につき、図１〜図８を参照して詳説する。
図１に示すごとく、本例の透明板ユニット１は、樹脂から構成した開閉枠材１１に配設して透明板保持枠（ガラス扉）６を形成するものである。同図は、透明板ユニット１を裏面側から配設した透明板保持枠６を前面側から見た状態で示す図である。ここで、本例において、単に前面側とは、遊技者に対向する側（遊技者側）のことをいい、単に後面側とは、遊技盤に対向する側（遊技盤側）のことをいう。
【００２１】
透明板保持枠６は、遊技盤を配設した本体枠の前面側に開閉可能に配設するものである。また、透明板ユニット１は、開閉枠材１１に対し、その後方から取り付けるよう構成してある。開閉枠材１１には、遊技盤の遊技領域を視認可能にするための開口部１１１が形成してあり、この開口部１１１には、枠体２の開口部２０が対応して配置される。
また、本例の副空間４２は、開閉枠材１１の開口部１１１の後方外側に位置し、開閉枠材１１によって視認ができなくなっている。
【００２２】
図２は、透明板ユニット１を前面側１０１から見た状態で示し、図３は、透明板ユニット１を後面側１０２から見た状態で示す図である。
透明板ユニット１は、枠体２の下辺部２１４に、開閉枠材１１における被係合部（穴部）に係合させる係合部（突起部）２３１を複数有している。また、透明板ユニット１は、枠体２の上側角部の左右両側に、開閉枠材１１に設けた回動支持部１２（図１参照）によって、前後、上下、左右の各方向に支持される被支持部２３２を有している。さらに、透明板ユニット１は、枠体２の上辺部２１１に作業者が把持可能な取手部２３３を有している。
【００２３】
図４は、後面側１０２から見た状態の透明板ユニット１における副空間４２の周辺を拡大して示す図である。
本例の仕切部２２は、枠体２の内側に両端を掛け渡す状態で、樹脂成形によって枠体２と一体的に成形してある。
また、副空間４２は、枠体２における左右いずれか一方の下側角部に形成してあり、連通口４３と空気出入口４４とは、副空間４２に対して互いに離れた位置に形成してある。これにより、空気出入口４４から流入する外気を副空間４２の全体に充満させることができ、外気が副空間４２を通り超えて主空間４１へ流入することを防止することができる。
【００２４】
図５は、透明板ユニット１の主空間４１の外周縁部の断面を、図３のＡ−Ａ線矢視断面として示す図である。図６は、透明板ユニット１の副空間４２の周辺の外周縁部を、図４のＢ−Ｂ線矢視断面として示す図である。図７は、透明板ユニット１の副空間４２に対する連通口４３及び空気出入口４４の形成箇所を、図４のＣ−Ｃ線矢視断面として示す図である。図８は、透明板ユニット１を側方から見た状態で示す図である。
図５に示すごとく、本例の２枚の透明板３Ａ、３Ｂは、透明板ユニット１を透明板保持枠６に保持した状態において、遊技者側に位置する一方の透明板３Ａの外形が、反対側（遊技盤側）に位置する他方の透明板３Ｂの外形よりも小さくなっている。これにより、透明板ユニット１の枠体２における奥側（遊技盤側）の内側端面２１５が遊技者に見え難くすることができる。そのため、遊技者による遊技領域の感覚的な視界を広くすることができる。
【００２５】
また、同図に示すごとく、枠体２の外縁部２５は、透明板３Ａ、３Ｂの大きさに合わせて、遊技者側に位置する外形の小さい一方の透明板３Ａの外周側に対応する外側端面２１６Ａが、遊技盤側に位置する外形の大きい他方の透明板３Ｂの外周側に対応する外側端面２１６Ｂよりも内周側に位置する段差形状に形成されている。なお、内周側とは、透明板ユニット１の中心側のことをいう。
また、外形が小さい一方の透明板３Ａの厚みは、遊技者が叩いたときに破損することを防止するために、外形が大きい他方の透明板３Ｂの厚みよりも厚くしてある。また、一方の透明板３Ａは、強化ガラスによって構成している。
【００２６】
また、図５〜図７に示すごとく、枠体２は、その前後方向の両側において、連通口４３又は空気出入口４４の形成箇所を除く全外周及び仕切部２２に、接着剤５を保持するための接着剤保持凹部２４を形成してなる。そして、枠体２の開口部２０に配置された各透明板３Ａ、３Ｂは、接着剤保持凹部２４に塗布された接着剤５によって枠体２に接着される。
また、各透明板３Ａ、３Ｂは、枠体２における外縁部２５よりも小さく形成してあり、枠体２の外周に位置する接着剤保持凹部２４においては、透明板３Ａ、３Ｂの外縁部３５が配置された状態で、透明板３Ａ、３Ｂの外縁部３５にも接着剤５が配置される。
【００２７】
また、図４、図７、図８に示すごとく、本例の空気出入口４４は、枠体２の右辺部２１３において、透明板ユニット１によって透明板保持枠６を構成する際に、２枚の透明板３Ａ、３Ｂのうち遊技盤側に位置する他方の透明板３Ｂと対向する部位に形成した溝部４４１と、この溝部４４１と連通するよう枠体２の外縁部２５の一部を前後方向へ切り欠いて形成した切欠部４４２とによって構成してある。具体的には、切欠部４４２と他方の透明板３Ｂの内側（遊技機の前方側）で囲まれた開口４４３が溝部４４１と連通するように構成してある。これにより、外気の温度が透明板ユニット１内の空気の温度よりも低くなったときには、空気出入口４４から副空間４２内に流れる外気によって、遊技盤側に位置する他方の透明板３Ｂが先に冷やされることになる。そして、遊技者側の一方の透明板３Ａの内面が冷やされないので、外気と接触する遊技者側の一方の透明板３Ａが外気によって急激に冷やされることを緩和することができる。
【００２８】
また、本例の連通口４３は、仕切部２２において、２枚の透明板３Ａ、３Ｂのうち遊技者側に位置する一方の透明板３Ａと対向する部位に形成した溝部４３から構成してある。これにより、空気出入口４４と連通口４３とが透明板ユニット１の前後方向に対して互いに反対側に位置することになる。そのため、接着剤５によって透明板を枠体２に接着する際に、空気出入口４４又は連通口４３の形成箇所の近傍を塗布の開始位置として、枠体２の両側において、枠体２の縁部と仕切部２２とに連続して接着剤５を塗布することができる。これにより、枠体２の縁部２５及び仕切部２２に透明板３Ａ、３Ｂを接着する作業を短時間で行うことができる。
なお、図４において、わかり易くするために、連通口４３及び空気出入口４４の溝部４４１の形成箇所を網掛けのハッチングをして示す。
【００２９】
具体的には、図２に示すごとく、接着剤５は、枠体２の前面側１０１においては、連通口４３の上側に位置する仕切部２２を塗布の開始位置とし、仕切部２２、下側部分を除く右辺部２１３、上辺部２１１、左辺部２１２、下辺部２１４及び右辺部２１３の下側部分へと連続して塗布することができる。また、この逆の流れで接着剤５を連続して塗布することもできる。
また、図３に示すごとく、接着剤５は、枠体２の後面側１０２においては、空気出入口４４の下側に位置する左下角部を塗布の開始位置とし、下辺部２１４、左辺部２１２（図３では右側）、上辺部２１１、下側部分を除く右辺部２１３（図３では左側）及び仕切部２２へと連続して塗布することができる。また、この逆の流れで接着剤５を連続して塗布することもできる。
なお、連通口４３及び空気出入口４４の幅寸法は、小さいほど良いが、成形性や金型構造を考慮して、１〜２ｍｍ程度とすることが好ましい。
【００３０】
また、本例の連通口４３と空気出入口４４とは、いずれも溝部４３又は溝部４４１及び切欠部４４２から形成してあり、本例の枠体２は、前後方向からの凹凸形状のみによって成形することができる。そのため、枠体２の樹脂成形を行う際に、成形体からアンダーカット部を離型するためのスライド型を用いる必要がなく、枠体２の成形が容易である。また、本例の枠体２は、その全周の断面において略均等肉厚で形成している。そのため、特に肉盗みを設けたり、中空成形などの特殊な成形方法を採用することなく成形した枠体２にヒケ（樹脂の変形部分）が発生することを防止することができる。
【００３１】
本例の透明板ユニット１においては、主空間４１内の空気の温度が上昇するときには、主空間４１内の空気を連通口４３、副空間４２及び空気出入口４４を介して外部へ排出することができる。一方、主空間４１内の空気の温度が下降するときには、主空間４１内に空気出入口４４、副空間４２及び連通口４３を介して外気を導入することができる。
これにより、透明板ユニット１内の温度変化により、主空間４１が膨張したり、縮小したりすることを防止することができ、２枚の透明板３Ａ、３Ｂに撓みが発生することを防止することができる。その結果、透明板３Ａ、３Ｂを枠体２に接着する接着剤５が剥がれることを防止し、遊技者側と反対側（遊技盤側）に位置する他方の透明板３Ｂと、遊技盤との間における遊技球の通過間隔が変化してしまうことを防止することができる。
【００３２】
さらに、副空間４２を設けたことにより、主空間４１における２枚の透明板３Ａ、３Ｂの内側に曇りが発生し難くすることができる。２枚の透明板３Ａ、３Ｂの内側に曇りが発生する場合としては、次の状況が考えられる。
すなわち、例えば、寒冷地において、遊技ホールの出入口に近い場所においては、出入口が開くと遊技ホール内に冷たい外気が入る。そして、出入口の近くに設置した遊技機における透明板保持枠６の透明板ユニット１の表面に外気が接触し、遊技者側の透明板３Ａの前面が冷やされ、２枚の透明板３Ａ、３Ｂの内側である主空間４１及び副空間４２に存在する空気が収縮し、更にこれらの空間４１、４２に冷たい外気が入ろうとする。
【００３３】
このとき、外気は、まず空気出入口４４を介して副空間４２に入ることになり、遊技盤側の透明板３Ｂの内面が冷やされ、遊技盤側の透明板３Ｂの表面温度が急激に冷やされる。その結果、透明板ユニット１内の副空間４２に残存する暖かい空気が遊技盤側の透明板３Ｂによって冷やされ、曇りが発生すると考えられる。そして、副空間４２の存在によって曇りを副空間４２に集中的に発生させることができ、主空間４１には曇りがほとんど発生しない。
また、副空間４２を、透明板ユニット１において遊技盤の遊技領域の外側に対向する位置に形成していることにより、遊技者からほとんど見えない位置に曇りを積極的に発生させることができる。そのため、遊技者による遊技領域の視界を適切に確保することができる。
【００３４】
それ故、本例の遊技機の透明板ユニット１によれば、２枚の透明板３Ａ、３Ｂに透明板ユニット１内の温度変化による撓みが発生することを防止すると共に、２枚の透明板３Ａ、３Ｂの内側に曇りが発生することを効果的に抑制することができる。
【符号の説明】
【００３５】
１  透明板ユニット
２  枠体
２０  開口部
２２  仕切部
３Ａ  一方の透明板
３Ｂ  他方の透明板
４１  主空間
４２  副空間
４３  連通口
４４  空気出入口
４４１  溝部
４４２  切欠部
５  接着剤
６  透明板保持枠
【図１】
0005535568.tif 000002
【図２】
0005535568.tif 000003
【図３】
0005535568.tif 000004
【図４】
0005535568.tif 000005
【図５】
0005535568.tif 000006
【図６】
0005535568.tif 000007
【図７】
0005535568.tif 000008
【図８】
0005535568.tif 000009